(57)【要約】【解決手段】隆起谷底を有する戻り止めねじを提供する。戻り止めねじは、頭部と、遠位端と、頭部及び遠位端の間で延びる軸とを有する。軸は、谷底を画定するように複数のターンを有するねじ山を備え、隆起谷底は、頭部に近い複数のターンの少なくとも一部において谷底に広がる。隆起谷底は、谷底に取り外し可能に取り付けられ、戻り止めねじが基材にねじ締めされた場合、取り外された隆起谷底が戻り止めねじ及び基材の間を結合し、且つ／又は基材の中に埋め込まれるように、谷底から取り外される。
2018532486.tif 000002
【特許請求の範囲】
【請求項１】
手術部位の基材に結合する戻り止めねじにおいて、
頭部、遠位部、並びに前記頭部及び遠位部の間で延びる軸を備え、
該軸は、谷底を画定するように複数のターンを有するねじ山を備え、
隆起谷底が前記谷底に広がり、前記隆起谷底の一部分は前記頭部に近い前記複数のターンの少なくとも一部に沿って前記谷底に取り外し可能に取り付けられており、
前記隆起谷底は、前記頭部に近い前記複数のターンの前記一部が前記基材にねじ締めされた場合に前記軸及び基材の間を結合するように前記谷底から取り外される
ことを特徴とする戻り止めねじ。
【請求項２】
前記谷底は第１ねじ谷径を有し、前記隆起谷底は前記第１ねじ谷径よりも大きい第２ねじ谷径を有することを特徴とする請求項１に記載の戻り止めねじ。
【請求項３】
前記谷底及び隆起谷底の間のインターフェイスを更に備え、
前記隆起谷底は、前記隆起谷底の径方向の移動、並びに前記谷底及び基材の間の前記隆起谷底の結合を容易にするように、前記インターフェイスにおいて前記谷底から外れる
ことを特徴とする請求項１に記載の戻り止めねじ。
【請求項４】
前記隆起谷底は前記谷底と同じ材料により形成されていることを特徴とする請求項１に記載の戻り止めねじ。
【請求項５】
前記谷底及び前記隆起谷底はチタン合金により形成されていることを特徴とする請求項４に記載の戻り止めねじ。
【請求項６】
前記隆起谷底は、チタン合金のスポンジにより形成されていることを特徴とする請求項１に記載の戻り止めねじ。
【請求項７】
前記隆起谷底は前記谷底と異なる材料により形成されていることを特徴とする請求項１に記載の戻り止めねじ。
【請求項８】
前記隆起谷底は、ポリマー、合金及びセラミックにより構成される群から選択される材料により形成されていることを特徴とする請求項７に記載の戻り止めねじ。
【請求項９】
前記隆起谷底は、付加製造による隆起谷底であることを特徴とする請求項１に記載の戻り止めねじ。
【請求項１０】
前記基材は骨基材であり、
前記隆起谷底は、前記軸がねじ締めされ、前記隆起谷底が前記骨基材に摺接した場合、前記骨基材の中に埋め込まれるように前記谷底から取り外される
ことを特徴とする請求項１に記載の戻り止めねじ。
【請求項１１】
前記基材はインプラント基材であり、
前記隆起谷底は、前記軸が前記インプラント基材にねじ締めされ、前記隆起谷底が前記インプラント基材に摺接した場合、前記谷底及びインプラント基材の間を結合するように前記谷底から取り外される
ことを特徴とする請求項１に記載の戻り止めねじ。
【請求項１２】
前記基材は、骨基材及びインプラント基材であり、
前記隆起谷底は、前記軸が前記骨基材にねじ締めされ、前記隆起谷底が前記骨基材に摺接した場合、前記谷底から取り外されず、
前記隆起谷底は、前記軸が前記インプラント基材にねじ締めされ、前記隆起谷底が前記インプラント基材に摺接した場合、前記谷底から取り外され、前記谷底及びインプラント基材の間を結合する
ことを特徴とする請求項１に記載の戻り止めねじ。
【請求項１３】
前記隆起谷底は前記頭部に近い４以下のターンにおいて前記谷底に広がることを特徴とする請求項１に記載の戻り止めねじ。
【請求項１４】
外科手術の間のねじの固定方法において、
手術部位の基材に戻り止めねじをねじ締めし、
前記戻り止めねじは、
頭部、遠位端、並びに前記頭部及び遠位端の間にて延び、谷底を画定するように複数のターンを有するねじ山を備える軸と、前記谷底に広がる隆起谷底とを備え、
前記隆起谷底の一部分は前記頭部に近い前記複数のターンの少なくとも一部に取り外し可能に取り付けられており、前記隆起谷底は、前記頭部に近い前記複数のターンの前記一部が前記基材にねじ締めされた場合に前記谷底及び基材の間を結合するように前記谷底から取り外され、
前記隆起谷底は、前記頭部に近い前記複数のターンの前記一部が前記基材にねじ締めされると、前記基材に摺接し、
前記隆起谷底は、前記谷底から外れ、前記谷底及び基材の間を結合し、前記基材に前記戻り止めねじを固定する
ことを特徴とする固定方法。
【請求項１５】
前記谷底及び隆起谷底の間のインターフェイスを更に備え、
前記隆起谷底は、前記隆起谷底の径方向の移動と、前記谷底及び基材の間の前記隆起谷底の結合とを容易にするように前記インターフェイスにおいて前記谷底から取り外される
ことを特徴とする請求項１４に記載の固定方法。
【請求項１６】
前記隆起谷底は前記谷底と同じ材料により形成されていることを特徴とする請求項１４に記載の固定方法。
【請求項１７】
前記隆起谷底は前記谷底と異なる材料により形成されていることを特徴とする請求項１４に記載の固定方法。
【請求項１８】
前記基材は骨基材であり、
更に、前記隆起谷底が、前記軸が前記骨基材にねじ締めされ、前記隆起谷底が前記骨基材に摺接した場合、前記骨基材の中に埋め込まれるように前記谷底から外れる
ことを特徴とする請求項１４に記載の固定方法。
【請求項１９】
前記基材はインプラント基材であり、
更に、前記隆起谷底は、前記軸が前記インプラント基材にねじ締めされ、前記隆起谷底が前記インプラント基材に摺接した場合、前記谷底及びインプラント基材の間を結合するように前記谷底から外れる
ことを特徴とする請求項１４に記載の固定方法。
【請求項２０】
前記基材は、骨基材及びインプラント基材であり、
更に、前記隆起谷底は、前記軸が前記骨基材にねじ締めされ、前記隆起谷底が前記骨基材に摺接した場合、前記谷底から取り外されず、
前記隆起谷底は、前記軸が前記インプラント基材にねじ締めされ、前記隆起谷底が前記インプラント基材に摺接した場合、前記谷底から取り外され、前記谷底及びインプラント基材の間を結合する
ことを特徴とする請求項１４に記載の固定方法。
【発明の詳細な説明】
【背景技術】
【０００１】
本願は、ねじ、特に、基材の材料に戻り止めねじが結合するための隆起谷底を有する戻り止めねじに関する。
【０００２】
手術において使用するねじが知られている。このようなねじは、一般的に谷底を画定するように複数のターンを有するねじ山を有している。ねじは、骨、インプラント等のような基材へと、ねじの近位端から遠位端方向へ力を加えて、回転される（ねじ締めされる）。
【発明の概要】
【発明が解決しようとする課題】
【０００３】
ねじは、一旦十分に基材に入った（ねじ締めされた）場合、固定された位置に留まっていることが望ましい。従って、ねじ及び基材の間の結合又は固定の強さが増大するように改善されたねじが望まれる。
【０００４】
手術部位の基材に結合する戻り止めねじが提供される。戻り止めねじは、頭部と、遠位部と、頭部及び遠位部の間にて延びる軸とを備える。軸は、谷底を画定するように複数のターンを有するねじ山を備える。隆起谷底は谷底に広がり、隆起谷底の一部は、頭部に近い複数のターンの少なくとも一部に沿った谷底に、取り外し可能に取り付けられる。隆起谷底は、頭部に近い複数のターンの一部が基材にねじ締めされた場合、戻り止めねじの軸と基材との間を結合するように谷底から取り外される。実施形態において、谷底及び隆起谷底の間には、インターフェイスが存在しており、隆起谷底は、隆起谷底の径方向の移動と戻り止めねじの軸及び基材の間の隆起谷底の結合とを容易にするように、インターフェイスにおいて谷底から取り外される。隆起谷底は、谷底と同じ材料により形成されていてもよく、あるいは、これに代わって、隆起谷底は谷底とは異なる材料により形成されていてもよい。基材は骨基材であってもよく、隆起谷底は、戻り止めねじが骨基材の中に締められ、隆起谷底がそこに摺接する場合、骨基材の中に埋め込まれるように谷底から取り除かれてもよい。基材はインプラント基材であってもよく、隆起谷底は、戻り止めねじがインプラント基材にねじ締めされ、隆起谷底がそこに摺接する場合、戻り止めねじの軸及びインプラントの間を結合するように谷底から取り除かれてもよい。実施形態において、戻り止めねじは骨基材及びインプラント基材にねじ締めされており、隆起谷底は、隆起谷底が骨基材に摺接する場合、谷底から取り外されないが、隆起谷底は、隆起谷底がインプラント基材に摺接する場合、谷底から取り除かれ、戻り止めねじの軸及びインプラント基材の間を結合する。
【０００５】
外科手術の間戻り防止ねじを固定する方法も提供される。方法は、手術部位の基材に戻り防止ねじをねじ締めすることを含み、戻り止めねじは、頭部と、遠位端と、頭部及び遠位端の間にて延びる軸とを備える。軸は、谷底を画定するように複数のターンを有するねじ山を備え、隆起谷底は谷底に広がる。隆起谷底の一部は、少なくとも、頭部に近い複数のターンの一部に沿って取り外し可能に取り付けられ、隆起谷底は、頭部に近い複数のターンの一部が基材にねじ締めされ、隆起谷底がそこに摺接する場合、戻り止めねじの軸と基材との間を結合するように谷底から取り外される。戻り止めねじは、隆起谷底がインターフェイスにおいて谷底から取り外されるように、谷底及び隆起谷底の間にインターフェイスを有していてもよく、つまり、インターフェイスは、戻り止めねじの軸及び基材の間を結合する隆起谷底の径方向の移動を容易にする。戻り止めねじは骨基材にねじ締めされていてもよく、谷底から取り除かれた隆起谷底は、軸が骨基材にねじ締めされ、隆起谷底がそこに摺接する場合、骨基材の中に埋め込まれる。戻り止めねじは骨基材及びインプラント基材にねじ締めされていてもよく、軸が骨基材にねじ締めされ、隆起谷底が骨基材に摺接する場合、隆起谷底は谷底から取り外されず、つまり、隆起谷底は谷底に残存する。しかしながら、隆起谷底は、隆起谷底がインプラント基材に摺接する場合、谷底から取り外され、ねじ山及びインプラント基材の間を結合する。
【０００６】
ここで記載された戻り止めねじの更なる特徴及び利点は続く詳細な説明に記載され、その記載から当業者に、ある程度容易に明らかになり、また、添付図面だけでなく、続く詳細な説明、特許請求の範囲を含めて、ここに記載された実施形態を実施することにより認識される。
【０００７】
上記の概略的な説明と以下の詳細な説明は両方、請求された主題の性質及び特徴を理解するための概要又は枠組みを提供することが意図された種々の実施形態を記載していると理解されるべきである。添付された図面は、種々の実施形態の更なる理解を提供することが含まれ、本願に組み込まれ、その一部を構成する。図面は、ここで記載された種々の実施形態を例示し、詳細な説明とともに請求された主題の本質及び作用を説明する機能を果たす。
【０００８】
図中で明らかにされる実施形態は、例示で、事実上の代表例であり、特許請求の範囲により定義される主題を限定することを意図してはいない。例示的な実施形態の以下の詳細な説明は、同様の構造に同様の参照符号を付した以下の図面と併せて読むことで、よりよく理解され得る。
【図面の簡単な説明】
【０００９】
【図１】本明細書で示され、記述された一以上の実施形態に係る戻り止めねじの模式図である。
【図２】ねじの長手方向の模式的断面図である。
【図３】本明細書で示され、記述された一以上の実施形態に係る隆起したねじを有する戻り止めねじの長手方向の模式的断面図である。
【図４】本明細書で示され、記述された一以上の実施形態に係る隆起谷底を有する戻り止めねじの長手方向の模式的断面図である。
【図５】本明細書で開示された一以上の実施形態に係る隆起谷底を有する戻り止めねじの長手方向の模式的断面図である。
【図６】本明細書で示され、開示された一以上の実施形態に係る谷底から取り外された隆起谷底を有する戻り止めねじの長手方向の模式的断面図である。
【図７】本明細書で示され、記載された一以上の実施形態に係る谷底から取り外された隆起谷底を有する戻り止めねじの径方向断面の模式的断面図である。
【図８】本明細書で示され、記述された一以上の実施形態に係る戻り止めねじの長手方向の模式的斜視図である。
【図９】本明細書で示され、記述された一以上の実施形態に係る一対の戻り止めねじ、骨基材、インプラント基材の模式図である。
【発明を実施するための形態】
【００１０】
増大した結合又は固定の強さを有する戻り止めねじを提供する。戻り止めねじは、頭部（ここでは、「近位端」とも呼ぶ）と、遠位部と、頭部及び遠位部の間にて延びる軸とを有する。軸は、谷底を画定するように複数のターンを有するねじ山を備える。隆起谷底は谷底に広がり、隆起谷底の一部は、少なくとも、頭部に近い複数のターンの一部に沿った谷底に、取り外し可能に取り付けられる。隆起谷底は、隆起谷底が、軸と、戻り止めねじがねじ締めされた基材との間を結合するように基材に摺接した場合、谷底から取り外される。
【００１１】
図１及び図２を参照すれば、戻り止めねじ１０の斜視図が図１中に示され、戻り止めねじ１０の長手方向（戻り止めねじ１０の長さに沿う）の模式的断面図が図２中に示されている。戻り止めねじ１０は、頭部１０４と、遠位部１０２と、頭部１０４及び遠位部１０２の間にて延びる軸１００とを有する。軸１００は、谷底１２０を画定するように複数のターン１０３を有するねじ山１０６を備える。隆起谷底１３０は、頭部１０４に近いターンの少なくとも一部に沿った谷底１２０に広がる。実施形態において、隆起谷底１３０は頭部１０４に近い４以下のターンに沿って谷底１２０に広がる。
【００１２】
ねじ山１０６は、らせん状の態様で、単一の谷底から延びる一対の側面を有する単一の尾根により形成されている。しかしながら、本願の目的において、ねじ山１０６の断面は複数の側面及び複数の谷底として記述される。特に、ねじ山１０６は、複数の遠位端対向側面１１２及び複数の頭部対向側面１１４として記載されている。山頂１１０は、一の遠位端対向側面１１２及び隣接する頭部対向側面１１４の交線により形成されている。谷底１２０は、隣り合う遠位端対向側面１１２と、頭部対向側面１１４との間に位置している。戻り止めねじ１０の「ピッチ」は、戻り止めねじ１０の一回の完全な回転（３６０°）によりカバーされる戻り止めねじ１０の長軸に沿った距離である。ピッチの直径（ピッチ径）は、ねじ山と同軸で、ねじ山の長軸を含む平面断面を見た場合、複数の等距離点においてねじ山側面に交差する円筒面の直径によって画定され、これらの等距離点の間の距離は、ピッチ距離の正確に半分である。谷底１２０の直径は、通常「ねじ谷径」と呼ばれ、山頂１１０の直径は、通常「ねじ外径」と呼ばれる。
【００１３】
図１〜３を参照すれば、頭部対向側面１１４は角１１４ａにおいて谷底１２０から延び、遠位端対向側面１１２は、角１１２ａにおいて谷底１２０から延びている。実施形態において、谷底１２０は、ねじ軸５に略平行である隣り合う角１１２ａ，１１４ａの間の距離又は空間を有する。図３中に描かれた谷底１２０は、ねじ軸５に略平行である角１１２ａ，１１４ａの間の線形曲面を有すると認識される。他の実施形態において、谷底１２０は、隣り合う端対向側面１１２及び頭部対向側面１１４の交線により形成されている、即ち、隣り合う端対向側面１１２及び頭部対向側面１１４の間に距離及び空間はない。図３中に描かれた戻り止めねじ１０は、基材３００に部分的に埋め込まれ、又は、通された状態を、基材３００の中にある戻り止めねじ１０の遠位部と、基材３００の外側にある戻り止めねじ１０の近位部とともに示している。戻り止めねじ１０は、頭部１０４に近いターンの少なくとも一部における谷底１２０に広がった、又は沿った隆起谷底部１３２を有する隆起谷底１３０を備える。谷底１２０は、第１ねじ谷径１２４を有し、隆起谷底１３０は、第１ねじ谷径１２４よりも大きい第２ねじ谷径１３４を有する。基材３００への戻り止めねじのねじ締めは、図３の矢印１１３により例示的に示されるように、Ｘ―Ｙ平面における側面１１２，１１４と基材３００との間の滑り摩擦力、矢印１１５により例示的に示されるように、Ｘ―Ｙ平面における側面１１２，１１４と基材３００との間の圧縮力、矢印１３５により例示的に示されるように、Ｘ―Ｙ平面における隆起谷底部１３２と基材３００との間の更なる圧縮力を引き起こす。滑り摩擦力は、戻り止めねじ１０が基材３００にねじ締めされた場合、Ｙ−Ｚ平面及びＸ−Ｚ平面における基材３００と、側面１１２，１１４、谷底１２０及び隆起谷底１３０との間で引き起こされると認識される。したがって、隆起谷底部１３２は、戻り止めねじ１０が基材３００に十分に挿入され、又は通された場合、更なる圧縮力（谷底１２０自体と比べて）を受ける。
【００１４】
図１，２，４を参照すれば、図４に示されたドーム又は弓状に形成された隆起谷底部１４２を有する隆起谷底１４０を除いて、戻り止めねじ１０と同様である戻り止めねじ１４が描かれている。隆起谷底部１４２を有する隆起谷底１４０は、図４中の矢印１４５により例示的に示されるように、Ｘ−Ｙ平面における隆起谷底部１４２と、基材４００との間の更なる圧縮力を提供する。隆起谷底部の他の形状として、限定的ではないが、三角形状、四角形状等のような他の形状も含み得ると認識される。
【００１５】
図１〜３及び５〜６を参照すれば、隆起谷底１３０が取り外し可能に谷底１２０に取り付けられる一以上の実施形態が描かれている。特に、隆起谷底部１３２及び谷底１２０の間のインターフェイス１３３が図５に示されている。隆起谷底部１３２は、取り外し可能に谷底１２０に取り付けられ、基材３００に摺接されることで、隆起谷底部１３２は、軸１００及び基材３００の間に結合するように谷底１２０から取り外される。隆起谷底部１３２からの谷底１２０の取り外しは、図５に描かれている第２ねじ谷径１３４よりも大きい第３ねじ谷径１３５を有する隆起谷底部１３２とともに図６に描かれているような隆起谷底部１３２の径方向の移動を容易にする。実施形態において、隆起谷底部１３２は、図７に描かれているように基材３００の中に埋め込まれ得る。例えば、戻り止めねじ１０は基材３００にねじ締めされ、隆起谷底１３０が谷底１２０に広がっているターンが基材３００に摺接している場合、隆起谷底１３０は隆起した基材３００から滑り摩擦力を受ける。隆起谷底部１３２の少なくとも一部は、谷底１２０から取り外され、基材３００に埋め込まれる。実施形態において、谷底１２０から取り外された隆起谷底部１３２は、基材３００の中に埋め込まれていないが、軸１００及び基材３００の間を結合する。例えば、隆起谷底部１３２は、骨基材の中に埋め込まれてもよいが、インプラント基材の中には埋め込まれず、単にインプラント基材の中で軸１００と結合してもよい。
【００１６】
図８を参照すれば、戻り止めねじ２０、例えば、インプラントねじが描かれている。戻り止めねじ２０は、遠位端２０２及び頭部２０４の間にて延びる軸２００を有する。軸２００は、谷底２２０を画定するように複数のターン２０８を有するねじ山２０６を有する。ねじ山２０６は、上記で戻り止めねじ１０に関して論じたように、側面（符号を付していない）を有する山頂２１０を有する。隆起谷底２３０は、頭部２０４に近いターン２０８の少なくとも一部において、谷底２２０に沿って延びる。隆起谷底２３０は、解放可能に谷底２２０に取り付けられ、戻り止めねじ１２０が基材にねじ締めされた場合に隆起谷底２３０が基材に摺接したとき、谷底２２０から取り外される。
【００１７】
図８、９を参照すれば、戻り止めねじ２０、骨基材３５０及びインプラント４００が描かれている。インプラント４００は、インプラント基材４０２を備える。戻り止めねじ２０の一つについて、骨基材３５０及びインプラント基材４０２に完全にねじ締めされた場合が描かれている。隆起谷底２３０は、骨基材３５０に摺接されることで谷底２２０から取り外された場合、インプラント基材４０２に摺接することで谷底２２０から取り外された場合が描かれている。したがって、戻り止めねじ２０は、骨基材３５０にねじ締めされ、隆起谷底２３０がそこで摺接すると、隆起谷底２３０が谷底２２０から取り外され、骨基材３５０の中に埋め込まれ、軸２００及びインプラント基材４０２の間を結合する。この骨基材３５０の中の隆起谷底２３０の埋め込みと、軸２００及びインプラント基材４０２の間の隆起谷底２３０の結合により、骨基材３５０及びインプラント４００の中の固定の強さが増大した戻り止めねじ２０が提供される。
【００１８】
実施形態において、戻り止めねじ２０は、戻り止めねじ２０の遠位部２０２におけるねじ谷径及びねじ外径が、戻り止めねじ２０の（頭部２０４に近い）近位部におけるねじ谷径及びねじ外径よりも小さいようなテーパを有する軸（符号を付していない）を備えていてもよい。また、隆起谷底２３０は、隆起谷底２３０が骨基材３５０に摺接することでは谷底２２０から取り外されないが、インプラント基材４０２に摺接することで谷底２２０から取り外されるように十分な強さで谷底２２０に取り付けられてもよい。つまり、隆起谷底２３０及び骨基材３５０の間の滑り摩擦力（戻り止めねじ２０が骨基材３５０にねじ締めされる場合）は、谷底２２０から隆起谷底２３０が取り外されるのに十分ではないが、隆起谷底２３０及びインプラント基材３５０の間の滑り摩擦力は、隆起谷底２３０が谷底２２０から取り外されるのに十分である。このような実施形態において、軸のテーパにより、結果として、戻り止めねじ２０が骨基材３５０にねじ締めされているとき、戻り止めねじ２０の遠位部２０２に近いターンにおいて谷底２２０に広がる隆起谷底２３０の一部が、谷底２０から隆起谷底２３０を取り外すのに十分な力ではインプラント基材４０２に摺接しない場合がある。しかしながら、戻り止めねじ２０の近位端がインプラント基材４０２にねじ締めされているとき、戻り止めねじ２００の頭部２０４に近いターンにおいて谷底に広がる隆起谷底２３０は、谷底２２０から隆起谷底２３０が取り外されるのに十分な力で基材４０２に摺接する。したがって、戻り止めねじ２０が骨基材３５０及びインプラント基材４０２に完全にねじ締めされた後、骨基材３５０の中に位置する隆起谷底２３０は谷底２２０から取り外されないが、インプラント基材４０２の中に位置する隆起谷底２３０の少なくとも一部は谷底２２０から取り外され、戻り止めねじ２０の軸及びインプラント基材４０２の間を結合する。
【００１９】
上記に基づいて、本明細書において記載された戻り止めねじは、骨基材、インプラント基材等のような基材にねじ締めされた場合、増大した固定の強さを提供するということが分かる。実施形態において、戻り止めねじの隆起谷底は戻り止めねじの谷底から取り外され、戻り止めねじ及び骨基材、インプラント基材等の間を結合する。実施形態において、隆起谷底は、戻り止めねじの谷底から取り外され、骨基材の中に埋め込まれる。隆起谷底は谷底と同じ材料から形成されていてもよく、これに代わって、谷底とは異なる材料から形成されていてもよい。例えば、戻り止めねじ及びその谷底は、チタン合金から形成されていてもよく、隆起谷底は、同じチタン合金から形成されていてもよい。実施形態においては、隆起谷底はチタン合金のスポンジであってもよい。隆起谷底は、限定はしないが、例えば、プラズマ溶射、フレームスプレー、ガスタングステンアーク溶接、３Ｄプリント等を含む付加製造による隆起谷底であってもよい。隆起谷底は、限定はしないが、例えば、ポリマー及びセラミックス等を含む材料から形成されていてもよい。
【００２０】
当業者にとって、ここに記載された実施形態に、請求された主題の趣旨及び範囲から逸脱しないで、様々な変更及び変形がなされ得ることは明らかである。これにより、本明細書は、ここに記載された様々な実施形態の変更及び変形を網羅し、添付された特許請求の範囲及びその均等の範囲内における変更及び変形を提供する。
【００２１】
関連出願の相互参照
本願は、２０１５年１０月１９日に出願された米国仮特許出願第６２／２４３，３９１号明細書の優先権を主張しており、その内容全体が参照により本明細書に組み込まれる。
【図１】
2018532486.tif 000003
【図２】
2018532486.tif 000004
【図３】
2018532486.tif 000005
【図４】
2018532486.tif 000006
【図５】
2018532486.tif 000007
【図６】
2018532486.tif 000008
【図７】
2018532486.tif 000009
【図８】
2018532486.tif 000010
【図９】
2018532486.tif 000011
【国際調査報告】
2018532486.tif 000012
2018532486.tif 000013
2018532486.tif 000014